(57)【要約】【課題】本発明は、エキスパンドメタルの形状の特徴を生かしつつ、薄板を使いながらも強度も機能性もあり、美観的にも優れたエキスパンドメタルの加工をされた面材を、軽量でしかも安価に製作して各種用途の柵に展開せんとするものである。  【解決手段】薄板の鋼板に千鳥の切り込みを多数入れて、ロール、プレス等で伸張したエキスパンドメタル部と板材の両面、若しくは片面に山形の突条部を設けた部分とが、交互に構成されたエキスパンドメタル面材において、そのエキスパンドメタル面材の上下辺、左右辺もしくは四辺の端面を覆うように廻り縁となる枠材を固着した事を特徴とする民需、官需等に使用されるエキスパンドメタル柵。【選択図】  図１
2005334943.tif 000002
【特許請求の範囲】
【請求項１】
板材に千鳥の切込みを入れて伸張したエキスパンド部と、板材の片面もしくは両面に山形の突条部を設けた部分とが、交互に３〜２０ヶ所構成されていることを特徴とするエキスパンドメタル面材。
【請求項２】
（請求項１）のエキスパンドメタル面材において、面材の上下辺、左右辺もしくは四辺を廻り縁となる枠材で覆うように固着した事を特徴とするエキスパンドメタル柵。
【発明の詳細な説明】
【技術分野】
【０００１】
本発明は、エキスパンドメタルの形状を生かした、特徴ある各種機能を生かしつつ、薄板であるにもかかわらず、強度もあり美観的にも優れたエキスパンドメタル面材を、安価に製作して各種用途の柵に展開せんとするものである。
【背景技術】
【０００２】
エキスパンドメタルは、面材としてパンチングメタルのような打ち抜き部のロスもなく、引き伸ばしのやり方で開口部の面積を調節する事が出来るし、切り起こした面の角度の調節が出来るので、風とか音に指向性を持たせる事ができる等、素晴しい機能を有する面材である。横風の強い道路の路側帯に設置すると、エキスパンドメタルの切り起こした面の角度で風向きを上に変えることができ、車の走行が楽になるし、また、下向きに変えると粒度の細かい砂浜を持つ海浜道路では、道路上に堆積する砂を吹き払う事が出来るのである。
【０００３】
又、飛行場のエンジンテストの音を、騒音問題の少ない方向にエキスパンドメタルの切り起こした面を使って、向きを変える事が出来るので利用されている。更に道路の中央分離帯に柵として使われているが、これは、対向車のヘッドライトの光を防眩する為に、エキスパンドメタルの切り起こした面を使って、光が反対車線に真横近辺しか漏れないように効果的に設置されている。
【０００４】
しかしながら、このエキスパンドメタルにも次のような欠点がある。面全体に切込みを入れながら引き伸ばしているので、薄肉の鉄板を使うとベコベコになってフラットな面が出来ないし、面に対しての水平荷重に弱いという欠点があった。従って、大きな面材として使うには、エキスパンドメタルを構成する鉄板の厚みを厚くする必要があるので、非常に重い物と成らざるを得なくなってしまい、取付けの作業も困難になるし、高価な物になっていた。
【０００５】
最近では、鉄板を打抜いて小さい穴で構成するパンチングメタルの方が、歪みも少なくおしゃれである事から使用頻度が増えている。エキスパンドメタルは面材として、折角すばらしい機能がありながら、使用できる現場が段々と少なくなってきているのである。
【０００６】
〔特許文献1〕に記載の、エキスパンドメタルを生産する時に、先端、末端などで、切り目を設けない平板部を付設する。この平板部内で収まる切欠きないし切り込みを設け、切欠／切込同士を結ぶ屈折線の箇所で、エキスパンドメタルを縦横に屈折して補強できるように形成する。とある。
【０００７】
しかし、このように両端末のみに平板部を設けて箱形に構成しても、エキスパンドメタルの面のぶよぶよとした腰のない状態に変わりがなく、又、上下となる面はエキスパンドメタルの端面の鋭利な突起が出たままであり、人に対する安全と安心が要求される公共の分野で使用することができない。
【０００８】
〔特許文献２〕には、多数本の切込み線を平行に刻設した部分を広げてメッシュ部として構成したエキスパンドメタルにおいて、メッシュ部の切込み線と平行に位置する一端、あるいは両端に、切込み線を刻設していない板部を設ける。この板部を平面以外の形状に形成する。とあり、又メッシュ部の切込み線と平行に位置する一端、あるいは両端、あるいはその中間に、切込み線を刻設していない板部を設け、この板部を平面以外の形状に形成する。とある。
【０００９】
しかし、この様な構成の折り曲げでは、柵等に使用する面材としての構成にはならないし、板厚を相当上げないと、エキスパンドメタルの最大の欠点であるぶよぶよ感は無くならないので、綺麗な物に出来上がらない。また、エキスパンドメタルの端面部分は切断しない、と言っても鋭利な突起があり、これもまた、人に対する安全と安心が要求される公共の分野では使用できないのである。
【００１０】
〔特許文献３〕の公報には、メッシュ状にしたエキスパンドメタル部の端部に、切り込み線を設けない板部を付設し、両部の境界線で所定の角度で反対側に屈折して、基本形状を略Ｚ型とする。とある。
【００１１】
しかし、この様な形で柵として連接出来ても〔特許文献１，２〕で指摘したようにぶよぶよ感が残るし、土留め等の人との接触の少ない土木の分野で使用できても、柵として構成するには面が綺麗に出来ていないし、なんと言っても上下に鋭利な突起があるので、これも公共の場所では使用できないのである。
【００１２】
【特許文献１】特開２０００−３３４４１
【特許文献２】特開２０００−１９７９３１
【特許文献３】特開２００１−２０５６７
【発明の開示】
【発明が解決しようとする課題】
【００１３】
解決しようとする問題点は、戸建て住宅、街路、アパート、マンション等の外構、歩道並びに車道などに使用される各種の柵は、最も安全と環境に配慮し、併せて機能性についても色々とその性能を発揮したい場所であるが、その柵が汚かったり、突起があって危なかったり、風が通らなかったり光が遮られてしまったり，景観性に欠けたり、安全でなかったりする物が多いのが実情である。そこで安全で景観上綺麗な柵を安く提供せんとするものである。
【００１４】
本発明は、エキスパンドメタルの持っている機能性に着眼して、例えば柵としての強度、隠蔽性、通気性、光の遮断性、音とか風に指向性等の機能を持った製品を、安価に提供せんとするものである。
【課題を解決するための手段】
【００１５】
本発明のエキスパンドメタル面材を使用した柵は、従来の縦格子柵のように溶接をしなくてもよく、薄肉のメッキ鋼板で面材を製作するので、プレス等で出来た切り口にメッキが回り込み錆びにくくなる等、価格も安く強度もあり耐久性に優れたすばらしい柵が構成されるところにある。
【００１６】
具体的には面がフラットなエキスパンドメタル部分と、山形の突条部を交互に設けて全体としても概ねフラットなエキスパンドメタル面材を構成し、周囲に枠材を取り付けして柵体とするのである。
【００１７】
長さ方向に引っ張りながら構成したエキスパンドメタルの部分と山形の突条部とを交互に構成して製作されたエキスパンドメタル面材に、その上下辺、左右辺又は四辺となる各辺に、コの字形等の枠材を構成させることで、従来使用されているエキスパンドメタル柵の欠点を一挙に解決せんとするものである。
【００１８】
ステンレススチール、アルミニウム、メッキ鋼板等で、０．５ミリメートルから２．０ミリメートルの厚みで、ロール加工とかプレス加工でエキスパンドメタルとするのであるが、エキスパンドメタル部の幅が１０センチメートルから５０センチメートルで、板のままの部分を２０ミリメートルから２００ミリメートルとして、その板の部分に山形の突条部を構成するのである。
【００１９】
柵として構成する場合、表側をどちらに向けるのが良いか判らない事が多くどのような所にでも対応できるように、表裏感の無い物が望ましいのである。ハット形の形状は、成型も簡単であるが表裏感が出来るのであまり好ましくない。しかし、この場合凹部に棒状の化粧材を入れると見栄えが良くなる。Ｓ字形もしくは表裏にハット形を設ける形とする事で、表裏感が無くなり見栄えの良い物となる。
【００２０】
このようにして構成されたエキスパンドメタル面材の上下辺、左右辺又は四辺にコの字形の枠材を取り付けするのである。この枠材はエキスパンドメタル面材の山形の突条部とエキスパンドメタルの端面を覆い被せるようにすると良い。山形の突条部がエキスパンドメタル面材の上下、もしくは左右の両端面に構成した時にはコの字形の枠材の廻り縁を構成する部材として代用してもよい。このように面材の周囲に廻り縁を構成することで公共の人に触れる場所でも安心して使用できるのである。
【００２１】
更に、廻り縁の枠材の部分が周辺環境の影響を受けやすく、一番傷みやすい事から、ステンレススチールやアルミニウムで構成すると価格は上がるが、長期に渡って使用できる耐蝕性に優れた高級な柵となるのである。特にアルミニウムの押し出し成型では断面がかなり自由に構成できるので、枠材として馴染みの良い形状にする事が容易となる。
【００２２】
山形の突条部が縦桟として構成されている時、このエキスパンドメタル面材の切り起し面が斜め横からの目隠し性に指向性をもたらす事になるし、また、９０度回転させて山形の突条部となる部分が横桟となるように柵を構成すると、エキスパンドメタルの切り起しとなる面が作用して風を上、又は下に向きを変えることが出来るし。光が入ってしかも目隠し性のある機能性に優れた柵の構成となるのである。
【００２３】
勿論、エキスパンドメタル面材の素材を、亜鉛メッキ鋼板で構成すると安価で良いし、更にその上に密着性の良い塗装をする事で、長期に渡って綺麗な柵として使用できる。更にステンレススチールとかアルミニウムを使用するともっと耐久性が上がるので、塩害を受けやすい地域等、環境の厳しい地域で採用すると良い。
【発明の効果】
【００２４】
以上のように、本発明では如何に安い価格で、強度を保ちつつエキスパンドメタルの機能を持ち、高級感があって、しかも人に優しく、極めて安全に安心して利用できるか研究したのである。
【００２５】
安い価格で、という命題に対しては、１ミリメートルという薄板のメッキ鋼板を使用して、エキスパンドメタルとなる部分もメッキ鋼板をエキスパンドメタル加工により引き伸ばして構成するので、全く端材が出ない面材として必要な面積だけの使用ですみ、最小のコストで構成される、見かけは高級でも高価な物にならないで、むしろ安価に提供できるのである。
【００２６】
強度については、山形の突条部の寸法である程度調整が自由に出来るので、コストパフォーマンスに優れた物となる。更に、廻り縁としての枠材を構成した部分で、必要な強度を追加できるので好都合である。一点に集中的に相当強烈な荷重がかからない限り傷まないので、通常の使用においては、何ら問題は発生しないのである。
【発明を実施するための最良の形態】
【００２７】
以下、本発明を図により詳細に説明する。図１は、本発明のエキスパンドメタル面材図３と廻り縁である枠材３との組み合わせによる柵の構成図であり、縦が１メートルで横の幅が１．８メートルになるようになされ、廻り縁である枠材３を外周に構成する。
【００２８】
図２は山形の突条部２を横長に構成し、柵とした時の正面図である。この場合、目隠し用の柵として使用することを想定しているのであるが、高さが１．８メートルで、横幅は１．２メートルとした場合の構成である。廻り縁である枠材３を四辺に構成した目隠しエキスパンドメタル柵となるのである。１ミリメートルと非常に薄い亜鉛鉄板で製作しても、２５センチメートルピッチに補強の山形の突条部を構成するので、安価で強度のあるエキスパンドメタル面材が製作できるのである。
【００２９】
図３は、肉厚が１ミリメートルの亜鉛鉄板でエキスパンドメタル部１と山形の突条部２を交互に構成して製作されたエキスパンドメタル面材図３である。山形の突条部２の突出した寸法は、片側に１５ミリメートルの高さと、１５ミリメートルの幅を設ける。従って、両側だと高さも幅も３０ミリメートルとなる。また、この突条部を使って図１０のように擬木、ステンレススチール、アルミニウム等で強度アップを兼ねて装飾的な化粧材４を装着すると、更に高級感を演出できるのである。
【００３０】
製品構成の実施として、エキスパンドメタル面材図３に構成された複数の山形の突条部２と、エキスパンドメタル部１は、２２センチメートルのエキスパンドメタル部１と、山形の突条部２となる平板部は９センチメートルの寸法で、エキスパンドメタル部１と平板部を交互に３１センチメートルのピッチで構成して、平板部を図５、図６のようにプレス成型して表裏の無い形とするのである。そしてエキスパンドメタル面材図３、のように構成するのである。
【００３１】
このプレスの結果、エキスパンドメタル部１が２２センチメートル、山形の突条部２の幅を３センチメートルとする。その結果、エキスパンドメタル面材図３として、薄いメッキ鋼板を使いながらも強度もあって適当に開口部もありエキスパンドメタル部１の切り込みの向きを使いながら、用途によって機能性も発揮できるので、美観性と併せて、コスト的に安くて耐蝕性にも優れた物となるのである。
【００３２】
この時、図5、図６のように補強の山形の突条部２の形状をＳ字形にすれば表裏感の無い形状にする事ができ、外観上素晴らしい物となるのである。Ｓ字形のＳの字の両端末がエキスパンドメタル面材の面のほぼ中心に来るように構成するのである。図７、図８、図９のように廻り縁となる枠材３についても、表裏感の無い形状が望ましいし、エキスパンドメタルの面から前後に突出している部分を囲い込むように覆い被せるのである。また、図４のように補強の山形の突条部２の形状を、片面だけのハット形にすれば表裏感はあるものの、この凹部に化粧材を入れると見栄えの良い物となる。
【図面の簡単な説明】
【００３３】
【図１】本発明エキスパンドメタル面材の突条部を縦桟に使った製品の斜視図である。
【図２】本発明エキスパンドメタル面材の突条部を横桟に使った製品の正面図である。
【図３】エキスパンドメタル面材の斜視図である。
【図４】山形の突条部を片面に出した断面斜視図である。
【図５】山形の突条部を両面に出した断面斜視図である。
【図６】山形の突条部を両面に出した断面斜視図である。
【図７】廻り縁となる枠材の断面斜視図である。
【図８】廻り縁となる枠材の断面斜視図である。
【図９】廻り縁となる枠材の断面斜視図である。
【図１０】Ｓ字形突条部と化粧材である。
【符号の説明】
【００３４】
１  エキスパンドメタル部
２  山形の突条部
３  廻り縁の枠材
４  化粧材
【図１】
2005334943.tif 000003
【図２】
2005334943.tif 000004
【図３】
2005334943.tif 000005
【図４】
2005334943.tif 000006
【図５】
2005334943.tif 000007
【図６】
2005334943.tif 000008
【図７】
2005334943.tif 000009
【図８】
2005334943.tif 000010
【図９】
2005334943.tif 000011
【図１０】
2005334943.tif 000012